(57)【要約】【課題】軒先に通気見切り材を配置する構造において上記通気見切り材の外側から上記熱膨張防火材の状態を確認することができる軒先換気構造を提供する。【解決手段】軒先換気構造１は、軒天板１１の軒先部１１ａを支持する支持下地１２を軒先縦配置板２に固定するとともにこれらの間に換気隙間Ｓを形成する隙間形成固定金具３と、上記軒先縦配置板２の下部に留め付けられることで上記換気隙間Ｓを下側から覆う通気見切り材４とからなり、上記通気見切り材４は、上記軒先縦配置板２の下面側で下方に向けられた垂直面部４１と、当該垂直面部４１に対向して下端側が上記垂直面部４１に近づくように傾斜する傾斜通気面４２とを有し、上記垂直面部４１の上記傾斜通気面４２に対向する側に熱膨張防火材６が設けられている。【選択図】図２
2015105462.tif 000002
【特許請求の範囲】
【請求項１】
軒天板の軒先部を支持する支持下地と軒先縦配置板との間に換気隙間を有する軒先換気構造であって、軒先方向に下り傾斜する傾斜通気面を有し、上記軒先縦配置板に留め付けられることで上記換気隙間を下側から覆う通気見切り材と、上記通気見切り材の外側であって上記傾斜通気面に対向する位置に設けられた熱膨張防火材と、を備えたことを特徴とする軒先換気構造。
【請求項２】
請求項１に記載の軒先換気構造において、上記通気見切り材は上記傾斜通気面に対向する位置に垂直面部を有し、この垂直面部に上記熱膨張防火材を備えていることを特徴とする軒先換気構造。
【請求項３】
請求項１または請求項２に記載の軒先換気構造において、上記熱膨張防火材の下部側を受ける受け面部が形成されていることを特徴とする軒先換気構造。
【請求項４】
請求項１〜請求項３のいずれか１項に記載の軒先換気構造において、上記通気見切り材には、上記軒天板の軒先部を受ける支持部が形成されていることを特徴とする軒先換気構造。
【請求項５】
請求項１〜請求項４のいずれか１項に記載の軒先換気構造において、上記換気隙間に、上記軒先縦配置板に接する第１面と、上記支持下地に接する第２面と、上記第２面から上記第１面にかけて下り傾斜する傾斜面部と、を有する隙間形成固定部材が設けられており、締結部材が斜め上方向に上記傾斜面部を通して上記軒先縦配置板に打ち込まれることを特徴とする軒先換気構造。
【発明の詳細な説明】
【技術分野】
【０００１】
この発明は、軒先の軒天部を利用して建物内の換気を行うことを可能にする軒先換気構造に関する。
【背景技術】
【０００２】
従来の軒部の換気構造は、例えば、図５に示すように、軒天部１０１の天板と外壁パネル１０２の外装材の交差箇所である廻り縁１０３を利用して設けられていた。
【０００３】
また、特許文献１には、軒先の鼻隠し下地と軒天板との間に隙間を形成するとともに、この隙間を通気見切り材で覆った構造が開示されている。上記通気見切り材の通気面は鼻隠し板の裏面に対向する位置に存在するとともに、当該通気面は、その下側が上記裏面に近づく傾斜形状に形成されている。
【先行技術文献】
【特許文献】
【０００４】
【特許文献１】特許第４８４３３６５号
【発明の概要】
【発明が解決しようとする課題】
【０００５】
図５に示した従来の換気構造に関しては、軒天部１０１の施工は外壁パネル１０２の防水工事が終了した後に行われ、また、雨樋１０４の設置は上記軒天部１０１の施工が完了した後に行われるため、足場の撤去が遅くなるという課題があった。また、集合住宅で屋根が寄棟形状の場合には界壁により屋根裏が区画されるため、棟換気が付けられない場合には、妻側の住戸で換気量が不足しがちになるという問題もあった。
【０００６】
一方、特許文献１に開示された換気構造では、軒先に通気見切り材を配置することで軒天部の施工を待たずに樋等を装着することが可能になり、また、通気面が傾斜形状に形成されているので、換気面積を大きくして換気量の不足を解消することが可能である。
【０００７】
しかしながら、特許文献１に開示された換気構造では、上記通気見切り材の内部側に熱膨張防火材が貼り付けられているため、上記通気見切り材の外側から上記熱膨張防火材の状態、例えば取り付け時の状態、火災検証時の膨張状態などを確認することができないという問題点があった。
【０００８】
この発明は、上記の事情に鑑み、軒先に通気見切り材を配置する構造において上記通気見切り材の外側から上記熱膨張防火材の状態を確認することができる軒先換気構造を提供することを課題とする。
【課題を解決するための手段】
【０００９】
この発明の軒先換気構造は、上記の課題を解決するために、軒天板の軒先部を支持する支持下地と軒先縦配置板との間に換気隙間を有する軒先換気構造であって、軒先方向に下り傾斜する傾斜通気面を有し、上記軒先縦配置板に留め付けられることで上記換気隙間を下側から覆う通気見切り材と、上記通気見切り材の外側であって上記傾斜通気面に対向する位置に設けられた熱膨張防火材と、を備えたことを特徴とする。
【００１０】
上記の構成であれば、上記熱膨張防火材は、上記通気見切り材の外側に設けられているので、上記熱膨張防火材の状態を軒下から確認することを可能にできる。そして、上記熱膨張防火材は上記傾斜通気面に対向する位置に設けられており、火災時の熱で膨張した熱膨張防火材が上記傾斜通気面を塞ぐ状態において、上記傾斜通気面はその傾斜形状によって上記膨張した熱膨張防火材を下から受け止めることができるので、当該膨張した熱膨張防火材の落下を防止することができる。
【００１１】
上記通気見切り材は、上記傾斜通気面に対向する位置に垂直面部を有し、この垂直面部に上記熱膨張防火材を備えてもよい。これによれば、例えば、上記熱膨張防火材を現場で貼り付けるのではなく、上記通気見切り材の工場出荷段階で上記熱膨張防火材を貼り付けておくことができる。
【００１２】
上記熱膨張防火材の下部側を受ける受け面部が形成されていてもよい。これによれば、膨張した熱膨張防火材の落下防止力がより向上する。
【００１３】
上記通気見切り材には、上記軒天板の軒先部を受ける支持部が形成されていてもよい。これによれば、上記通気見切り材を上記軒先縦配置板に固定した状態において上記通気見切り材の上記支持部に上記軒天板の軒先部を引っ掛けて楽な状態で上記軒天板を固定することができる。
【００１４】
上記換気隙間に、上記軒先縦配置板に接する第１面と、上記支持下地に接する第２面と、上記第２面から上記第１面にかけて下り傾斜する傾斜面部と、を有する隙間形成固定部材が設けられており、締結部材が斜め上方向に上記傾斜面部を通して上記軒先縦配置板に打ち込まれるようにしてもよい。これによれば、上記軒先縦配置板の外側からではなく、内側から上記支持下地を固定することができる。よって、仮に雨樋を上記軒先縦配置板に装着した後からでも、上記軒先縦配置板に上記支持下地を固定することができる。
【発明の効果】
【００１５】
本発明であれば、軒先に通気見切り材を配置する構造において上記通気見切り材の外側から上記熱膨張防火材の状態を確認することができるとともに、火災時の熱で膨張した熱膨張防火材が上記通気見切り材の傾斜通気面を塞ぐ状態において当該膨張した熱膨張防火材の落下を防止することができるという効果を奏する。
【図面の簡単な説明】
【００１６】
【図１】この発明の実施形態の軒先換気構造を示した説明図である。
【図２】図１の部分拡大図である。
【図３】図１の軒先換気構造で用いられた通気見切り材の立体図である。
【図４】図１の軒先換気構造で用いられた隙間形成固定金具の立体図である。
【図５】従来の軒下換気構造を示した説明図である。
【発明を実施するための形態】
【００１７】
以下、この発明の実施の形態を添付図面に基づいて説明する。
図１および図２に示すように、この発明の実施形態の軒先換気構造１は、軒天板１１の軒先部１１ａを支持する支持下地１２と軒先縦配置板（鼻隠し板、鼻隠し下地、破風板等）２との間に換気隙間Ｓを形成して上記軒先縦配置板２に上記支持下地１２を固定するための隙間形成固定金具３と、上記軒先縦配置板２の下部に留め付けられることで上記換気隙間Ｓを下側から覆う通気見切り材４を備えている。
【００１８】
上記軒天板１１の外壁側端部１１ｂは、外壁側支持下地１３にビス等によって固定されている。また、上記外壁側支持下地１３は、外壁パネル５の外面材５ａにビス等によって固定されている。さらに、上記軒天板１１の外壁側端部１１ｂと上記外面材５ａとの交差箇所には廻り縁１４が設けられている。また、上記軒天板１１上にはロックウール１５が設けられている。そして、上記軒先縦配置板２の外面には、水切り板１６がビス等によって固定されており、この水切り板１６の外面には雨樋１７がビス等によって固定されている。
【００１９】
上記通気見切り材４は、上記軒先縦配置板２の下面側で下方に向けられた垂直面部４１と、当該垂直面部４１に対向するとともに下端側が上記垂直面部４１に近づくように傾斜する傾斜通気面４２とを有する。上記垂直面部４１は上記軒先縦配置板２の外面と面一となるように位置している。また、上記傾斜通気面４２には例えば方形状の通気スリットが一定間隔で形成されている。
【００２０】
上記垂直面部４１の上記傾斜通気面４２に対向する側には、熱膨張防火材６が貼り付けられている。この熱膨張防火材６は、例えば、１２０℃以上で１０倍以上に体積が増大する不燃樹脂製シート等からなるもので、既存のものを用いることができる。そして、上記傾斜通気面４２は、軒下から見上げて上記熱膨張防火材６を視認することの妨げにならないように位置している。
【００２１】
また、図３にも示すように、上記通気見切り材４の上記垂直面部４１には水平方向に折り曲げられて上記熱膨張防火材６の下部を受け止める受け面部４１ａが形成されている。さらに、上記通気見切り材４には、水平方向に折り曲げられて上記軒天板１１の軒先部１１ａを受ける支持部４３が形成されていている。
【００２２】
上記通気見切り材４は、上記軒先縦配置板２とは別の部材とされており、上記垂直面部４１と上記傾斜通気面４２との間の接続部４４が上記軒先縦配置板２の下面に接した状態でビス４５等によって上記軒先縦配置板２に固定されている。なお、上記ビス４５が挿通される孔が上記通気見切り材４に形成されていてもよい。
【００２３】
上記隙間形成固定金具３は、図４にも示すように、上記軒先縦配置板２の下部に接する第１面３ａと、上記支持下地１２に接する第２面３ｂと、上記第２面３ｂから上記第１面３ａにかけて下り傾斜する傾斜面部３ｃと、を有する。上記第１面３ａと上記第２面３ｂは平行に形成されている。また、第１面３ａは後述のビス３２の通りを阻害しないように短く形成されている。
【００２４】
上記隙間形成固定金具３は、上記第２面３ｂに挿通されるビス３１によって上記支持下地１２に固定されている。そして、上記傾斜面部３ｃに挿通されるビス３２が斜め上方向に上記軒先縦配置板２に打ち込まれることで、当該隙間形成固定金具３が上記軒先縦配置板２に固定される。なお、上記隙間形成固定金具３には、上記ビス３１、３２が挿通される図示しない孔が形成されている。また、上記隙間形成固定金具３は、例えば、上記隙間形成固定金具３が上記傾斜面部３ｃに開口部を有することで換気路を確保している。これに限らず、短尺の隙間形成固定部材を一定間隔で上記軒先縦配置板２に配置固定することでも換気路を確保できる。このような短尺の隙間形成固定部材は例えば角材の一つの角を落として上記傾斜面部３ｃに相当する傾斜面部を形成したものを用いることができる。
【００２５】
また、上記軒先換気構造１の施工に関しては、上記支持下地１２に予め上記隙間形成固定金具３を固定しておくことができる。そして、上記支持下地１２が固定された状態で、上記隙間形成固定金具３を上記軒先縦配置板２に固定できる。
【００２６】
上記の構成であれば、上記熱膨張防火材６は上記通気見切り材４の外側に貼り付けられているので、上記通気見切り材４の外側から上記熱膨張防火材６の状態を確認することができる。そして、上記熱膨張防火材６は上記傾斜通気面４２に対向する位置に設けられており、火災時の熱で膨張した熱膨張防火材６が上記傾斜通気面４２を塞ぐ状態において、上記傾斜通気面４２はその傾斜形状によって上記膨張した熱膨張防火材６を下から受け止めることができるので、当該膨張した熱膨張防火材６の落下を防止することができる。
【００２７】
また、上記通気見切り材４の上記垂直面部４１に上記熱膨張防火材６の下部を受ける受け面部４１ａが形成されていると、膨張した熱膨張防火材６の落下防止力がより向上する。
【００２８】
そして、上記通気見切り材４に上記軒天板１１の軒先部１１ａを受ける支持部４３が形成されていると、上記通気見切り材４を上記軒先縦配置板２に固定した状態において上記通気見切り材４の上記支持部４３に上記軒天板１１の軒先部１１ａを引っ掛けて楽な状態で上記軒天板１１を固定することができる。
【００２９】
また、上記ビス３２が上記隙間形成固定金具３の傾斜面部３ｃから斜め上方向に上記軒先縦配置板２に打ち込まれる構造であると、上記軒先縦配置板２の外側からではなく、内側から上記支持下地１２を固定することができる。よって、仮に雨樋１７を上記軒先縦配置板２に装着した後からでも、上記軒先縦配置板２に上記支持下地１２を固定することができる。このように降雨時の雨水処理が可能になると、屋根から落ちた雨水が足場に当たり、跳ねかえりで外壁が汚れることもなくなる。
【００３０】
上記の実施形態では、上記隙間形成固定金具３によって上記軒先縦配置板２と上記支持下地１２とが相互に固定されて換気隙間が形成されたが、これに限らず、上記軒先縦配置板２と上記支持下地１２とが各々独自に固定されて上記換気隙間が形成されるようにしてもよい。また、上記通気見切り材４が上記傾斜通気面４２に対向する位置に垂直面部４１を有し、この垂直面部４１に上記熱膨張防火材６を備えたが、このような構造に限らない。例えば、上記通気見切り材４が上記垂直面部４１を備えない構造とし、上記水切り板１６の裏面に上記熱膨張防火材６を備える構造としてもよい。また、この構造において、上記受け面部４１ａに相当する受け部を上記水切り板１６に設けてもよい。また、上記軒先縦配置板２を下地としてその上に化粧鼻隠し板を設け、この化粧鼻隠し板の下部の裏面に上記熱膨張防火材６を備える構造としてもよい。また、この構造において、上記受け面部４１ａに相当する受け部を上記化粧鼻隠し板に設けてもよい。
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３２】
１      軒先換気構造
１１    軒天板
１１ａ  軒先部
１２    支持下地
２      軒先縦配置板
３      隙間形成固定金具（隙間形成固定部材）
４      通気見切り材
４１    垂直面部
４２    傾斜通気面
５      外壁パネル
６      熱膨張防火材
【図１】
2015105462.tif 000003
【図２】
2015105462.tif 000004
【図３】
2015105462.tif 000005
【図４】
2015105462.tif 000006
【図５】
2015105462.tif 000007